(57)【要約】      （修正有）【課題】今までにない外観を呈し、かつ施工性、防水機能、断熱機能、等を具備した外装材の提供。【解決手段】雄型連結部１２は、略水平面状の化粧面４と、化粧面４の先端を下方に垂下した段差化粧面６と、段差化粧面６と化粧面４に沿って内側方に突出した上面７と、下方に突出した最奥片８と、先端を水下側に突出した差込片９と、上面７と最奥片８と差込片９とから略コ字状の係合溝１０を形成し、挿入間隙１１を形成し、雌型連結部２１は、他端の化粧面４の上端部分をさらに水上側に突出した固定片１３と、外側方に屈曲した第１防水片１４と、第１防水片１４の先端を水上側に突出した上面１５と、上面１５と第１防水片１４とから断面略コ字状に形成した前記差込片９と嵌合する嵌合溝１６と、上面１５の先端を水下側に屈曲した第２防水片１７と、上面１５と第２防水片１７とから形成した嵌合片１８と、第２防水片１７の先端に形成した突起１９とから形成した。【選択図】図１
2006322255.tif 000002
【特許請求の範囲】
【請求項１】
幅方向の側端縁に落とし込み構造の雄雌連結構造を形成した外装材において、雄型連結部は、略水平面状の化粧面と、該化粧面の先端を下方に垂下した段差化粧面と、該段差化粧面と化粧面に沿って内側方に突出した上面と、該上面の先端を下方に突出した最奥片と、該最奥片の先端を水下側に突出した差込片と、上面と最奥片と差込片とから略コ字状の係合溝を形成し、上面と係合溝により挿入間隙を形成し、雌型連結部は、他端の化粧面の上端部分をさらに水上側に突出した固定片と、該固定片の先端を外側方に屈曲した第１防水片と、該第１防水片の先端を水上側に突出した上面と、該上面と第１防水片とから断面略コ字状に形成した前記差込片と嵌合する嵌合溝と、上面の先端を水下側に屈曲した第２防水片と、上面と第２防水片とから形成した嵌合片と、第２防水片の先端に形成した突起とから形成したことを特徴とする外装材。
【発明の詳細な説明】
【技術分野】
【０００１】
本発明は、今までにない外観を呈し、かつ施工性、防水機能、断熱機能、等を具備した外装材に係るものである。
【背景技術】
【０００２】
一般に、金属製板材をロール成形、プレス成形等して加工した外装材は数多く上市され、その形状は、所謂落とし込み構造であった。（例えば、特許文献１〜５参照）。
【０００３】
【特許文献１】特開平１１−１７２８８４号公報
【特許文献２】特開平１１−１７２８９２号公報
【特許文献３】特開平１１−２１０１４９号公報
【特許文献４】特開２００２−２２０９０８号公報
【特許文献５】特開２００２−２３５４２３号公報
【発明の開示】
【発明が解決しようとする課題】
【０００４】
特許文献１〜５は落とし込み構造であるが、嵌合構造が単純で係合力、耐風圧強度、気密性、等に弱点があった。
【課題を解決するための手段】
【０００５】
本発明はこのような欠点を解決するために、幅方向の側端縁に落とし込み構造の雄雌連結構造を形成した外装材において、雄型連結部は、略水平面状の化粧面と、化粧面の先端を下方に垂下した段差化粧面と、段差化粧面と化粧面に沿って内側方に突出した上面と、上面の先端を下方に突出した最奥片と、最奥片の先端を水下側に突出した差込片と、上面と最奥片と差込片とから略コ字状の係合溝を形成し、上面と係合溝により挿入間隙を形成し、雌型連結部は、他端の化粧面の上端部分をさらに水上側に突出した固定片と、固定片の先端を外側方に屈曲した第１防水片と、第１防水片の先端を水上側に突出した上面と、上面と第１防水片とから断面略コ字状に形成した前記差込片と嵌合する嵌合溝と、上面の先端を水下側に屈曲した第２防水片と、上面と第２防水片とから形成した嵌合片と、第２防水片の先端に形成した突起とから形成した外装材を提供するものである。
【発明の効果】
【０００６】
本発明に係る外装材によれば、（１）第１防水片と第２防水片を形成した嵌合片が外装材を落とし込み構造としても、防水性を維持できる。（２）上段の外装材を下段の外装材へ施工した際に、下段の外装材の第２防水片が上段の外装材の上面に接触し、常時第２防水片が係合溝内でスプリングバック効果を発揮し、防水性、気密性を向上するものである。（３）第２防水片の形成により、外装材同士の連結部内で相対する力が相殺されるために、外装材が破壊されたり、固定片に形成した固定具が下地より抜け落ちない限り、外装材が風により剥がされることはない。（４）固定片を化粧面の上端に形成したために、外装材として使用する表面材の使用料を低減できる。等の特徴、効果がある。
【発明を実施するための最良の形態】
【０００７】
以下に図面を用いて本発明に係る外装材について詳細に説明する。図１は金属製外装材Ｂと裏打材ＣとシートＤよりなる外装材Ａの代表的一例を示す説明図である。また、図２〜図６は外装材Ａの施工状態と施工順序を説明するための説明図である。図中、αは下地、βは釘等の固定具を示している。
【０００８】
下地αは、新築の際は図２〜図５に示すように躯体１、胴縁２、防水シート３から構成した木造下地を示したものである。すなわち、躯体１上に胴縁２を敷設し、胴縁２上に防水シート３を配設した一般的な構造の下地αである。また、下地αとしてＨ形鋼、Ｉ形鋼、ミゾ形鋼、軽量ミゾ形鋼、リップ溝形鋼、等辺山形鋼、不等辺山形鋼、角形鋼（角パイプ）、円形鋼（円形パイプ）、等を使用した鉄骨下地でも良いものである。勿論、既存の壁を剥がして下地αとしたり、既存の壁をそのまま下地αとして改修する際には、これら下地α上に既存壁（図示せず）が形成された既存壁構造が下地αとなるものである。勿論、防水シート３を形成しない下地αでも良いものである。なお、下地αは屋根下地でもよいものである。
【０００９】
金属製外装材Ｂは、例えば金属板（カラー鋼板、銅板、アルミニウム板、チタン板、ステンレス板、サンドイッチ鋼板、クラッド鋼板等）等をロール成形、プレス成形、押出成形、等によって形成したものである。勿論、外装材Ａの表面材として、金属製外装材Ｂの代わりに窯業系素材、もしくは合成樹脂材（プラスチック）、等で形成してもよいものである。
【００１０】
さらに説明すると、金属製外装材Ｂは長尺板状であり、図１に示すように、略水平面状の化粧面４と、裏面５と、化粧面４の先端を下方に垂下した段差化粧面６と、段差化粧面６と化粧面４に沿って内側方に突出した上面７と、上面７の先端を下方に突出した最奥片８と、最奥片８の先端を水下側に突出した差込片９と、上面７と最奥片８と差込片９とから略コ字状の係合溝１０を形成し、上面７と係合溝１０により挿入間隙１１を形成し、化粧面４の水下側先端には下側に屈曲して凸部４ａを形成して雄型連結部１２としたものである。
【００１１】
化粧面４の水上側端部分には、化粧面４の上端部分をさらに水上側に突出した固定片１３と、固定片１３の先端を外側方に屈曲した第１防水片１４と、第１防水片１４の先端を水上側に突出した上面１５と、第１防水片１４と上面１５とから断面略コ字状に形成した前記差込片９と嵌合する嵌合溝１６と、上面１５の先端を水下側に屈曲した第２防水片１７と、上面１５と嵌合片１７とから形成した嵌合片１８と、第２防水片１７の先端に形成した突起１９と、第１防水片１４と第２防水片１７とから形成した凹状の防水空間２０とから雌型連結部２１を形成したものである。また、２２はパッキング材である。
【００１２】
段差化粧面６は、段差を形成し外壁に重厚感を付与すると共に、内部に挿入間隙１１を形成し、直接、風雨が外装材Ａの連結部に当たらないように形成し、防水性を向上するものである。
【００１３】
挿入間隙１１は、図２に示すように挿入して外装材Ａ同士を連結した際に、突起１９が収納される部分である。
【００１４】
第２防水片１７は外装材Ａに吹き付ける雨、風が、直接外装材Ａの上面７に吹き付けるのを防止し、外装材Ａが風により剥がされるのを防止するものである。つまり、図３に示すように、風が矢印に示すように吹き付けると、下段の外装材Ａの第２防水片１７は風により一点鎖線矢印アに示すように防水片１３の先端を中心に回転するように浮き上がる力が働くが、逆に上面１５が一点鎖線矢印イに示すように上段の外装材Ａの差込片９を押さえ込むような力が働き係合力が強化され、外装材Ａが風により剥がされるのを防止するものである。
【００１５】
このように、外装材Ａ同士の連結部内で相対する力が相殺されるために、外装材Ａが破壊されたり、固定片１５に形成した固定具βが下地αより抜け落ちない限り、外装材Ａが風により剥がされることはないものである。
【００１６】
第２防水片１７は、第１防水片１４の先端部分より水下側へ突出することにより、断面コ字状の防水空間２０を形成し、入ってこようとする風雨を、逆方向に回転させて排出し、防水性を向上するものである。
【００１７】
凸部４ａは図２に示すように、雌型連結部２１の突起１９を内包し、連結力を向上すると共に、防水性、気密性、等を向上するものである。
【００１８】
パッキング材２２は雨水等が下地αに浸入しないように形成するものであり、その素材としては、定型で弾性のあるパッキング材としては、例えば発泡ゴム、ポリ塩化ビニル系、クロロプレン系、クロロスルホン化ポリエチレン系、エチレンプロピレン系、アスファルト含浸ポリウレタン系、ＥＰＭ、ＥＰＤＭ等の一般的に市販されているものであり、主に防水材、気密材等の機能として有用なものである。また、これらの成分の中に、耐火性、防火性を有する例えばポリリン酸アンモニウム、水酸化アルミニウム、フェノール樹脂粒、カーボンブラック、グラファイト（発泡、非発泡）等の難燃材を混入することもできる。                                              
【００１９】
裏打材Ｃは、ポリウレタンフォーム、ポリイソシアヌレートフォーム、フェノールフォーム、塩化ビニルフォーム、ポリエチレンフォーム、ポリスチレンフォーム、ユリアフォーム等の合成樹脂発泡体、あるいはこれら合成樹脂発泡体をシート材でサンドイッチした複合板、もしくは石膏ボード、セメント板、炭酸カルシウム板、珪酸カルシウム板、セラミック板、木片セメント板、炭酸マグネシウム板、シージングボード、シージングインシュレーションボード、合板、等よりなるもの、さらにはこれらの複合板よりなるものである。
【００２０】
シートＤは、金属材、あるいはアスベスト紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート等からなるものである。      
【００２１】
さらに詳説すると、図１に示すように、最奥片８から段差化粧面６までの幅をＨ、嵌合片１８の先端から突起１９の先端までの幅をｈ、上面７から差込片９までの幅をＴ、上面１５から突起１９までの幅をｔとすると、Ｈ−ｈ＞１０ｍｍ位、Ｔ≒ｔの関係である。
【００２２】
この関係により、突起１９が邪魔にならず嵌合がスムーズであると共に、突起１９が挿入間隙１１内に嵌合された状態となり、さらに、固定具βの頭部が外部より見えない状態で施工ができるものである。
【００２３】
以上説明したのは本発明に係る外装材の一実施例にすぎず、図７（ａ）〜（ｄ）、図８（ａ）〜（ｄ）に示すように外装材Ａを形成することもできる。
【産業上の利用可能性】
【００２４】
本発明に係る外装材は、屋根材としても使用できるので、利用範囲が広範である。
【図面の簡単な説明】
【００２５】
【図１】本発明に係る外装材の代表的一例を示す説明図である。
【図２】本発明に係る外装材の施工状態を示す説明図である。
【図３】本発明に係る外装材の施工状態を示す説明図である。
【図４】本発明に係る外装材の施工状態を示す説明図である。
【図５】本発明に係る外装材の施工状態を示す説明図である。
【図６】本発明に係る外装材の施工状態を示す説明図である。
【図７】本発明に係る外装材のその他の例を示す説明図である。
【図８】本発明に係る外装材のその他の例を示す説明図である。
【符号の説明】
【００２６】
α  下地
β  固定具
Ａ  外装材
Ｂ  金属製外装材
Ｃ  裏打材
Ｄ  シート
１  躯体
２  胴縁
３  防水シート
４  化粧面
４ａ  凸部
５  裏面
６  段差化粧面
７  上面
８  最奥片
９  差込片
１０  係合溝
１１  挿入間隙
１２  雄型連結部
１３  固定片
１４  第１防水片
１５  上面
１６  嵌合溝
１７  第２防水片
１８  嵌合片
１９  突起
２０  防水空間
２１  雌型連結部
２２  パッキング材
【図１】
2006322255.tif 000003
【図２】
2006322255.tif 000004
【図３】
2006322255.tif 000005
【図４】
2006322255.tif 000006
【図５】
2006322255.tif 000007
【図６】
2006322255.tif 000008
【図７】
2006322255.tif 000009
【図８】
2006322255.tif 000010